(57)【要約】【課題】分散型電源から供給される電力に応じて電力線の電力を調整する。【解決手段】複数の電力負荷と、前記複数の電力負荷に対して電力を供給する発電機と、前記複数の電力負荷に対して電力を供給する複数の分散型電源と、が接続されている電力線の電力を、前記複数の分散型電源から供給される電力に応じて調整する調整装置を備える。【選択図】図１１
2014241678.tif 000002
【特許請求の範囲】
【請求項１】
複数の電力負荷と、前記複数の電力負荷に対して電力を供給する発電機と、前記複数の電力負荷に対して電力を供給する複数の分散型電源と、が接続されている電力線の電力を、前記複数の分散型電源から供給される電力に応じて調整する調整装置
を備えたことを特徴とする電力調整装置。
【請求項２】
前記電力線の電力における周波数が所定の周波数範囲を逸脱していることを検出する第１検出装置、を更に備え、
前記調整装置は、前記周波数が前記所定の周波数範囲を逸脱していることを前記第１検出装置が検出したとき、前記周波数が前記所定の周波数範囲内の周波数となるように、前記複数の分散型電源から供給される電力及び前記電力線から前記複数の電力負荷に供給される電力の少なくとも一方を調整する第１調整装置、を有する
ことを特徴とする請求項１に記載の電力調整装置。
【請求項３】
前記電力線の電力における電圧が所定の電圧範囲を逸脱していることを検出する第２検出装置、を更に備え、
前記調整装置は、前記電圧が前記所定の電圧範囲を逸脱していることを前記第２検出装置が検出したとき、前記電圧が前記所定の電圧範囲内の電圧となるように、前記複数の分散型電源から供給される電力及び前記電力線から前記複数の電力負荷に供給される電力の少なくとも一方を調整する第２調整装置、を有する
ことを特徴とする請求項１又は２に記載の電力調整装置。
【請求項４】
前記第１検出装置は、前記周波数が前記所定の周波数範囲の下限よりも低いこと、又は、前記周波数が前記所定の周波数範囲の上限よりも高いことを検出し、
前記第１調整装置は、
前記周波数が前記所定の周波数範囲の下限よりも低いことを前記第１検出装置が検出したとき、前記電力線から前記複数の電力負荷に供給される電力を減少させる動作、又は、前記複数の分散型電源から供給される電力を増加させる動作を行い、
前記周波数が前記所定の周波数範囲の上限よりも高いことを前記第１検出装置が検出したとき、前記複数の分散型電源から供給される電力を減少させる動作、又は、前記電力線から前記複数の電力負荷に供給される電力を増加させる動作を行う
ことを特徴とする請求項２に記載の電力調整装置。
【請求項５】
前記第１調整装置は、
前記周波数が前記所定の周波数範囲の下限よりも低いことを前記第１検出装置が検出したとき、前記複数の分散型電源から供給される電力を増加させる動作を、前記電力線から前記複数の電力負荷に供給される電力を減少させる動作よりも優先して行い、前記周波数が前記所定の周波数範囲の上限よりも高いことを前記第１検出装置が検出したとき、前記電力線から前記複数の電力負荷に供給される電力を増加させる動作を、前記複数の分散型電源から供給される電力を減少させる動作よりも優先して行う
ことを特徴とする請求項４に記載の電力調整装置。
【請求項６】
前記周波数が前記所定の周波数範囲を逸脱していることを前記第１検出装置が検出し、且つ、前記電圧が前記所定の電圧範囲を逸脱していることを前記第２検出装置が検出したとき、前記第１調整装置は、前記第２調整装置よりも優先して調整を行う
ことを特徴とする請求項３に記載の電力調整装置。
【請求項７】
前記電力線には、前記電力線の電力を調整するべく充放電される蓄電装置、が更に接続され、
前記蓄電装置の蓄電量が所定の蓄電量範囲を逸脱していることを検出する第２検出装置、を更に備え、
前記調整装置は、前記蓄電量が前記所定の蓄電量範囲を逸脱していることを前記第２検出装置が検出したとき、前記蓄電量が前記所定の蓄電量範囲の蓄電量となるように、前記複数の分散型電源から供給される電力及び前記電力線から前記複数の電力負荷に供給される電力の少なくとも一方を調整する第２調整装置、を更に有する
ことを特徴とする請求項２に記載の電力調整装置。
【請求項８】
電力線に接続されている複数の電力負荷に対して電力を供給するための前記電力線に接続される発電機と、
前記複数の電力負荷に対して電力を供給するための前記電力線に接続される複数の分散型電源と、
前記電力線の電力における周波数が所定の周波数範囲を逸脱していることを検出する第１検出装置と、
前記電力線の電力における電圧が所定の電圧範囲を逸脱していることを検出する第２検出装置と、
前記周波数が前記所定の周波数範囲を逸脱していることを前記第１検出装置が検出したとき、前記周波数が前記所定の周波数範囲内の周波数となるように、前記複数の分散型電源から供給される電力及び前記電力線から前記複数の電力負荷に供給される電力の少なくとも一方を調整する第１調整装置と、
前記電圧が前記所定の電圧範囲を逸脱していることを前記第２検出装置が検出したとき、前記電圧が前記所定の電圧範囲内の電圧となるように、前記複数の分散型電源から供給される電力及び前記電力線から前記複数の電力負荷に供給される電力の少なくとも一方を調整する第２調整装置と、
を備えたことを特徴とする電力調整システム。
【請求項９】
複数の電力負荷と、前記複数の電力負荷に対して電力を供給する発電機と、前記複数の電力負荷に対して電力を供給する複数の分散型電源と、が接続されている電力線の電力を調整する電力調整装置に、
前記電力線の電力における周波数が所定の周波数範囲を逸脱していることを検出する機能と、
前記電力線の電力における電圧が所定の電圧範囲を逸脱していることを検出する機能と、
前記周波数が前記所定の周波数範囲を逸脱していることが検出されたとき、前記周波数が前記所定の周波数範囲内の周波数となるように、前記複数の分散型電源から供給される電力及び前記電力線から前記複数の電力負荷に供給される電力の少なくとも一方を調整する機能と、
前記電圧が前記所定の電圧範囲を逸脱していることが検出されたとき、前記電圧が前記所定の電圧範囲内の電圧となるように、前記複数の分散型電源から供給される電力及び前記電力線から前記複数の電力負荷に供給される電力の少なくとも一方を調整する機能と、
を実現させるプログラム。
【発明の詳細な説明】
【技術分野】
【０００１】
本発明は、電力調整装置、電力調整システム、プログラムに関する。
【背景技術】
【０００２】
例えば、電力負荷と分散型電源とが接続されている電力線の電力を調整するための電力調整装置が知られている（例えば特許文献１）。又、例えば、分散型電源が接続されている電力線の電力における電圧が上昇しないように、分散型電源から供給される電力を蓄電池に充電する充電装置が知られている（例えば特許文献２）。
【先行技術文献】
【特許文献】
【０００３】
【特許文献１】特許４８０８７５４号公報
【特許文献２】実用新案登録第３１６９４７１号公報
【発明の概要】
【発明が解決しようとする課題】
【０００４】
例えば、電力負荷と分散型電源とが接続されている電力線を有する配電系統において、分散型電源から供給される電力の変動により電力線の電力の変動が引き起こされて、電力線の電力における周波数が所定の周波数範囲から逸脱することがある。このため、分散型電源から供給される電力に応じて、電力線の電力を調整する必要がある。ここで、特許文献１の電力調整装置は、分散型電源の発電量の予測を行い、当該予測結果に基づいて電力線の電力を調整する装置である。この電力調整装置を用いて電力線の電力を調整する場合、分散型電源の発電量の予測値と実績値とが相違しているとき、分散型電源から供給される電力に応じて電力線の電力を調整できなくなる虞がある。又、特許文献２の充電装置は、蓄電池の充電により分散型電源から電力線に供給される電力を調整して、電力線の電力を調整している。例えば、蓄電池の容量が比較的小さく蓄電池が満充電となっている場合、分散型電源から供給される電力を蓄電池に充電することができずに、電力線の電力を調整できなくなる虞がある。
【課題を解決するための手段】
【０００５】
前述した課題を解決する主たる本発明は、複数の電力負荷と、前記複数の電力負荷に対して電力を供給する発電機と、前記複数の電力負荷に対して電力を供給する複数の分散型電源と、が接続されている電力線の電力を、前記複数の分散型電源から供給される電力に応じて調整する調整装置を備えたことを特徴とする電力調整装置である。  
本発明の他の特徴については、添付図面及び本明細書の記載により明らかとなる。
【発明の効果】
【０００６】
本発明によれば、分散型電源から供給される電力に応じて電力線の電力を調整することができる。
【図面の簡単な説明】
【０００７】
【図１】本発明の第１実施形態における配電系統を示す図である。
【図２】本発明の第１実施形態における発電制御装置の機能を示すブロック図である。
【図３】本発明の第１及び第２実施形態における配電系統の各情報を示す図である。
【図４】本発明の第１実施形態における発電制御装置の動作を示すフローチャートである。
【図５】本発明の第２実施形態における配電系統を示す図である。
【図６】本発明の第２実施形態における発電制御装置の機能を示すブロック図である。
【図７】本発明の第２実施形態における発電制御装置の動作を示すフローチャートである。
【図８】本発明の第３実施形態における配電系統を示す図である。
【図９】本発明の第３実施形態における配電系統の一部を示す図である。
【図１０】本発明の第３実施形態における発電制御装置の機能を示すブロック図である。
【図１１】本発明の第３実施形態における第１優先順位情報を示す図である。
【図１２】本発明の第３実施形態における第２優先順位情報を示す図である。
【図１３】本発明の第３実施形態における発電制御装置の動作を示すフローチャートである。
【発明を実施するための形態】
【０００８】
本明細書および添付図面の記載により、少なくとも以下の事項が明らかとなる。
【０００９】
[第１実施形態]
＝＝＝配電系統＝＝＝
以下、図１を参照して、本実施形態における配電系統について説明する。図１は、本実施形態における配電系統を示す図である。尚、発電装置１、蓄電装置２、第１分散型電源３、第２分散型電源４、電力負荷５８は夫々、配電線Ｌ１０１に対して複数接続されているが、説明の便宜上、１つずつ示されている。
【００１０】
配電系統１００は、電力負荷５８に対して電力を供給するための、所定地域における配電系統である。配電系統１００は、配電線Ｌ１０１、発電装置１、蓄電装置２、第１分散型電源３、第２分散型電源４、電力負荷５８、発電制御装置６（電力調整装置）を有する。
【００１１】
配電線Ｌ１０１は、発電装置１、蓄電装置２、第１分散型電源３、第２分散型電源４、電力負荷５８が接続される電力線である。
【００１２】
発電装置１は、配電線Ｌ１０１に対して、発電量に応じた電力を供給する発電機である。発電装置１は、発電装置１の第１現在出力Ｐ１０を調整することが可能な発電機である。尚、第１現在出力Ｐ１０とは、発電装置１から配電線Ｌ１０１に対して出力（供給）される電力の値を示している。
【００１３】
蓄電装置２は、蓄電池２２の充放電により、配電線Ｌ１０１に対して電力を供給したり、配電線Ｌ１０１から電力が供給されたりする装置である。蓄電装置２は、充放電装置２１、蓄電池２２を有する。充放電装置２１は、蓄電池２２への充放電を制御したり、交流及び直流の変換を行ったりする装置である。充放電装置２１は、更に、蓄電装置２の第２現在出力Ｐ２０を調整したりもする。尚、第２現在出力Ｐ２０とは、蓄電装置２から配電線Ｌ１０１に対して出力（供給）される電力の値を示している。
【００１４】
第１分散型電源３は、再生可能エネルギーとしての太陽光を利用して発電を行う太陽光発電装置である。第１分散型電源３は、配電線Ｌ１０１に対して、発電量に応じた電力を供給する。尚、第１分散型電源３から配電線Ｌ１０１に対して供給される電力の値を第３現在出力Ｐ３０とも称する。第１分散型電源３は、配電線Ｌ１０１に接続されている。第１分散型電源３は、パワーコンディショナ３１、太陽電池３２を有する。太陽電池３２は、太陽光に基づいて発電を行う。パワーコンディショナ３１は、太陽電池３２で発電された電力を直流から交流に変換したり、第１分散型電源３の最大出力を調整したりする装置である。尚、第１分散型電源３の最大出力は、第１分散型電源３から配電線Ｌ１０１に対して出力（供給）される最大電力の値を示しており、第３最大出力Ｐ３１とも称する。
【００１５】
第１分散型電源３は、第１遮断器３０を更に有する。第１遮断器３０は、パワーコンディショナ３１と配電線Ｌ１０１との間に設けられる。例えば、第１遮断器３０が投入された場合、パワーコンディショナ３１及び太陽電池３２は配電線Ｌ１０１と電気的に接続される。一方、例えば、第１遮断器３０が遮断された場合、パワーコンディショナ３１及び太陽電池３２は配電線Ｌ１０１から電気的に遮断される。
【００１６】
第２分散型電源４は、再生可能エネルギーとしての風力を利用して発電を行う風力発電装置である。第２分散型電源４は、配電線Ｌ１０１に対して、発電量に応じた電力を供給する。尚、第２分散型電源４から配電線Ｌ１０１に対して供給される電力の値を第４現在出力Ｐ４０とも称する。第２分散型電源４は、配電線Ｌ１０１に接続されている。第２分散型電源４は、制御装置４１、発電機４２を有する。発電機４２は、風力に基づいて発電を行う。制御装置４１は、発電機４２を制御して、第２分散型電源４の最大出力を調整する装置である。尚、第２分散型電源４の最大出力は、第２分散型電源４から配電線Ｌ１０１に対して出力（供給）される最大電力の値を示しており、第４最大出力Ｐ４１とも称する。
【００１７】
第２分散型電源４は、第２遮断器４０を更に有する。第２遮断器４０は、第１遮断器３０と同様な構成であり、制御装置４１と配電線Ｌ１０１との間に設けられる。例えば、第２遮断器４０が投入された場合、制御装置４１及び発電機４２は配電線Ｌ１０１と電気的に接続される。一方、例えば、第２遮断器４０が遮断された場合、制御装置４１及び発電機４２は配電線Ｌ１０１から電気的に遮断される。  
電力負荷５８は、配電線Ｌ１０１から電力が供給される負荷である。
【００１８】
発電制御装置６は、電力系統１００を制御するための装置である。発電制御装置６は、発電装置１、蓄電装置２、第１分散型電源３、第２分散型電源４（「配電系統１００の各装置」とも称する）との間で通信できるように、通信線Ｌ１、Ｌ２、通信ネットワークＮを介して配電系統１００の各装置と接続されている。尚、配電系統１００の各装置は、通信線Ｌ２を介して相互に通信可能となっていることとする。尚、発電制御装置６は、例えば、電力線搬送通信によって配電系統１００の各装置と通信可能となっていることとしてもよい。
【００１９】
＝＝＝発電制御装置＝＝＝
以下、図２を参照して、本実施形態における発電制御装置について説明する。図２は、本実施形態における発電制御装置の機能を示すブロック図である。
【００２０】
発電制御装置６は、電力系統１００から情報を収集して、当該情報に基づいて第１分散型電源３及び第２分散型電源４の最大出力を調整する装置である。発電制御装置６は、入力部６１、表示部６２、通信部６３、記憶部６４、制御部６９を有する。
【００２１】
入力部６１は、発電制御装置６に対して情報を入力するための例えばキーボード、マウス等である。表示部６２は、情報を表示するための例えば液晶ディスプレイである。通信部６３は、配電系統１００の各装置との間で通信を行う。
【００２２】
記憶部６４は、例えば、第１の領域６４１、第２の領域６４２、第３の領域６４３を有する。第１の領域６４１には、発電制御装置６を統括制御するためのプログラムが記憶されている。第２の領域６４２には、第１乃至第４設備情報（図３）が記憶されている。第３の領域６４３には、第１乃至第４運転情報が記憶されている。尚、第１乃至第４設備情報、及び、第１乃至第４運転情報（「配電系統１００の各情報」とも称する）については後述する。
【００２３】
制御部６９は、第１の領域６４１に記憶されているプログラムの実行により、発電制御装置６を統括制御する。
【００２４】
発電制御装置６は、更に、情報収集部６５、制御可能量監視部６６、変動量演算部６７、抑制量演算部６８（「発電制御装置６の各機能」とも称する）を有する。尚、発電制御装置６の各機能は、第１の領域６４１に記憶されているプログラムの制御部６９による実行によって実現される機能である。
【００２５】
情報収集部６５は、配電系統１００の各装置から配電系統１００の各情報を収集する。尚、配電系統１００の各装置は、発電制御装置６からの要求に応じて配電系統１００の各情報を出力する。
【００２６】
制御可能量監視部６６は、情報収集部６５の収集結果に基づいて、発電装置１及び蓄電装置２（「配電系統１００の制御装置群」とも称する）全体の出力電力に関する増加可能量Ｗ１１と減少可能量Ｗ２１とを算出する。つまり、制御可能量監視部６６は、配電系統１００の各装置を監視して、増加可能量Ｗ１１と減少可能量Ｗ２１とを算出する。
【００２７】
変動量演算部６７は、情報収集部６５の収集結果に基づいて、第１分散型電源３及び第２分散型電源４（「配電系統１００の再生可能エネルギー群」とも称する）全体の出力電力に関する変動量を算出する。
【００２８】
抑制量演算部６８は、制御可能量監視部６６及び変動量演算部６７の演算結果に基づいて、配電系統１００の再生可能エネルギー群の最大出力を調整するための抑制量を算出する。尚、制御可能量監視部６６、変動量演算部６７、抑制量演算部６８については、後述する。
【００２９】
＝＝＝配電系統の各情報＝＝＝
以下、図１及び図３を参照して、本実施形態における配電系統の各情報について説明する。図３は、本実施形態における配電系統の各情報を示す図である。
【００３０】
＜第１設備情報、第１運転情報＞
第１設備情報及び第１運転情報は、発電装置１に関する情報である。尚、第１設備情報及び第１運転情報の双方が、発電装置１から収集されることとしてもよいし、第１設備情報が入力部６１から入力されると共に第１運転情報が発電装置１から収集されることとしてもよい。
【００３１】
＝第１設備情報＝
第１設備情報は、発電装置１の定格出力を示す情報、及び、変動率制約を示す情報等を含んでいる。
【００３２】
発電装置１の定格出力を示す情報は、発電装置１から配電線Ｌ１０１に対して出力（供給）される電力の最大値としての第１最大出力Ｐ１１と、発電装置１から配電線Ｌ１０１に対して出力（供給）される電力の最小値としての第１最低出力Ｐ１２等を示している。尚、発電装置１の出力は、第１最低出力Ｐ１２と第１最大出力Ｐ１１との間の定格範囲内において比較的高精度に調整可能となる。
【００３３】
発電装置１の変動率制約を示す情報は、所定時間内に変動（増加又は減少）させることができる発電装置１から出力される電力の最大値に基づく第１変化率ΔＰ１を示している。例えば、第１変化率ΔＰ１が５（ｋＷ／ｓ）であることは、１秒間に増加又は減少させることが可能な電力の最大値が５ｋＷであることを示している。更に、第１変化率ΔＰ１が５（ｋＷ／ｓ）であることは、３秒間に増加又は減少させることが可能な電力の最大値が１５ｋＷであり、１０秒間に増加又は減少させることが可能な電力の最大値が５０ｋＷであることと等を示している。
【００３４】
＝第１運転情報＝
第１運転情報は、発電装置１の動作状態を示す情報、制御可否を示す情報、及び、発電量を示す情報等を含んでいる。
【００３５】
発電装置１の動作状態を示す情報は、発電装置１が起動しているか停止しているかを示している。発電装置１の制御可否を示す情報は、発電装置１が制御可能であるか否かを示している。尚、発電装置１が制御可能であるか否かは、発電装置１の種類に応じて予め定められていることとしてもよいし、配電系統１００の管理者によって定められることとしてもよい。ここで、発電装置１は発電量に応じた電力を配電線Ｌ１０１に対して供給するので、発電量を示す情報は、発電装置１から配電線Ｌ１０１に供給される電力の値としての第１現在出力Ｐ１０を示していることになる。
【００３６】
＜第２設備情報、第２運転情報＞
第２設備情報及び第２運転情報は、蓄電装置２に関する情報である。尚、第２設備情報及び第２運転情報の双方が、蓄電装置２から収集されることとしてもよいし、第２設備情報が入力部６１から入力されると共に第２運転情報が蓄電装置２から収集されることとしてもよい。
【００３７】
＝第２設備情報＝
第２設備情報は、蓄電装置２の定格出力を示す情報等を含んでいる。  
蓄電装置２の定格出力を示す情報は、蓄電装置２から配電線Ｌ１０１に対して出力（供給）される電力の最大値としての第２最大出力Ｐ２１と、蓄電装置２から配電線Ｌ１０１に対して出力（供給）される電力の最小値としての第２最低出力Ｐ２２等を示している。ここで、蓄電装置２は、充放電が可能である。従って、第２最大出力Ｐ２１は、蓄電装置２の放電に対応し、第２最低出力Ｐ２２は、蓄電装置２の充電に対応する。尚、蓄電装置２の出力は、第２最低出力Ｐ２２と第２最大出力Ｐ２１との間の定格範囲内において比較的高精度に調整可能となる。
【００３８】
＝第２運転情報＝
第２運転情報は、蓄電装置２の動作状態を示す情報、制御可否を示す情報、及び、充電量（蓄電量）を示す情報等を含んでいる。
【００３９】
蓄電装置２の充電量を示す情報は、蓄電池２２における充電量（蓄電量）を示している。ここで、蓄電装置２は、蓄電池２２の充電量に応じた電力を放電したり、充電したりすることとする。つまり、蓄電装置２の充電量を示す情報に基づいて、蓄電装置２から配電線Ｌ１０１に対して供給されたり、配電線Ｌ１０１から蓄電装置２に対して供給されたりする第２現在出力Ｐ２０を把握することが可能となる。尚、蓄電装置２の動作状態を示す情報、蓄電装置２の制御可否を示す情報は夫々、発電装置１の動作状態を示す情報、発電装置１の制御可否を示す情報と同様である。
【００４０】
＜第３設備情報、第３運転情報＞
第３設備情報及び第３運転情報は、第１分散型電源３に関する情報である。尚、第３設備情報及び第３運転情報の双方が、第１分散型電源３から収集されることとしてもよいし、第３設備情報が入力部６１から入力されると共に第３運転情報が第１分散型電源３から収集されることとしてもよい。
【００４１】
＝第３設備情報＝
第３設備情報は、第１分散型電源３の定格出力を示す情報等を含んでいる。第１分散型電源３の定格出力を示す情報は、第１分散型電源３から配電線Ｌ１０１に対して出力（供給）される電力の最大値としての第３最大出力Ｐ３１等を示している。
【００４２】
＝第３運転情報＝
第３運転情報は、第１分散型電源３の動作状態を示す情報、制御可否を示す情報、及び、発電量を示す情報等を含んでいる。尚、第１分散型電源３の動作状態を示す情報、第１分散型電源３の制御可否を示す情報、第１分散型電源３の発電量を示す情報は夫々、発電装置１の動作状態を示す情報、発電装置１の制御可否を示す情報、発電装置１の発電量を示す情報と同様である。つまり、第１分散型電源３の発電量を示す情報は、第１分散型電源３から配電線Ｌ１０１に供給される電力の値としての第３現在出力Ｐ３０を示していることになる。
【００４３】
＜第４設備情報、第４運転情報＞
第４設備情報及び第４運転情報は、第２分散型電源４に関する情報である。尚、第４設備情報及び第４運転情報の双方が、第２分散型電源４から収集されることとしてもよいし、第４設備情報が入力部６１から入力されると共に第４運転情報が第２分散型電源４から収集されることとしてもよい。
【００４４】
＝第４設備情報＝
第４設備情報は、第２分散型電源４の定格出力を示す情報、及び、変動率制約を示す情報等を含んでいる。
【００４５】
第２分散型電源４の定格出力を示す情報は、第２分散型電源４から配電線Ｌ１０１に対して出力（供給）される電力の最大値としての第４最大出力Ｐ４１等を示している。尚、第４最大出力Ｐ４１は、例えば発電機４２の仕様等に基づいて定められている。
【００４６】
第２分散型電源４の変動率制約を示す情報は、第４変化率ΔＰ４を示している。尚、第４変化率ΔＰ４の構成は、第１変化率ΔＰ１の構成と同様である。
【００４７】
＝第４運転情報＝
第４運転情報は、第２分散型電源４の動作状態を示す情報、制御可否を示す情報、及び、発電量を示す情報等を含んでいる。尚、第２分散型電源４の動作状態を示す情報、第１分散型電源３の制御可否を示す情報、第２分散型電源４の発電量を示す情報は夫々、発電装置１の動作状態を示す情報、発電装置１の制御可否を示す情報、発電装置１の発電量を示す情報と同様である。つまり、第２分散型電源４の発電量を示す情報は、第２分散型電源４から配電線Ｌ１０１に供給される電力の値としての第４現在出力Ｐ４０を示していることになる。
【００４８】
＝＝＝制御可能量監視部＝＝＝
以下、図１及び図３を参照して、本実施形態における制御可能量監視部について説明する。
【００４９】
制御可能量監視部６６は、情報収集部６５の収集結果に基づいて、配電系統１００の制御装置群全体の出力電力に関する一定時間後における増加可能量Ｗ１１と減少可能量Ｗ２１とを算出する。尚、増加可能量Ｗ１１及び減少可能量Ｗ２１は、配電線Ｌ１０１の電力の変動を抑える能力を示している。つまり、増加可能量Ｗ１１及び減少可能量Ｗ２１は、第１分散型電源３及び第２分散型電源４から出力される電力を打ち消す能力を示している。  制御可能量監視部６６は、発電装置１における増加可能量Ｗ１１１及び減少可能量Ｗ２１１と、蓄電装置２における増加可能量Ｗ１１２及び減少可能量Ｗ２１２とを算出し、当該算出結果に基づいて増加可能量Ｗ１１及び減少可能量Ｗ２１を算出する。
【００５０】
＜発電装置における増加可能量及び減少可能量＞
＝発電装置における増加可能量＝
制御可能量監視部６６は、式１より増加可能量Ｗ１１１を算出する。  
増加可能量Ｗ１１１＝第１最大出力Ｐ１１−第１現在出力Ｐ１０・・・式１
尚、式１より算出された増加可能量Ｗ１１１が、第１変化率ΔＰ１と一定時間との積よりも大きい場合、制御可能量監視部６６は、第１変化率ΔＰ１と一定時間との積を増加可能量Ｗ１１１とする。つまり、制御可能量監視部６６は、増加可能量Ｗ１１１が第１変化率ΔＰ１と一定時間との積以下となるように増加可能量Ｗ１１１を算出する。尚、一定時間とは、発電制御装置６が配電系統１００を制御する時間に応じた時間であり、例えば１秒、１０秒、１分等を示している。
【００５１】
例えば、一定時間が１秒であり、第１最大出力Ｐ１１が２０（ｋＷ）であり、第１変化率ΔＰ１が５（ｋＷ／ｓ）であり、第１現在出力Ｐ１０が１０（ｋＷ）である場合、第１最大出力Ｐ１１に対する第１現在出力Ｐ１０の差分である１０（ｋＷ）は、第１変化率ΔＰ１と一定時間との積である５（ｋＷ）よりも大きくなる。従って、この場合、制御可能量監視部６６は、増加可能量Ｗ１１１として５（ｋＷ）を算出する。
【００５２】
又、例えば、一定時間が１０秒であり、第１最大出力Ｐ１１が２０（ｋＷ）であり、第１変化率ΔＰ１が５（ｋＷ／ｓ）であり、第１現在出力Ｐ１０が１０（ｋＷ）である場合、第１最大出力Ｐ１１に対する第１現在出力Ｐ１０の差分である１０（ｋＷ）は、第１変化率ΔＰ１と一定時間との積である５０（ｋＷ）よりも小さくなる。従って、この場合、制御可能量監視部６６は、増加可能量Ｗ１１１として１０（ｋＷ）を算出する。
【００５３】
尚、制御可能量監視部６６は、複数の発電装置１夫々の増加可能量Ｗ１１１を算出し、各増加可能量Ｗ１１１の総和を算出する。
【００５４】
＝発電装置における減少可能量＝
制御可能量監視部６６は、式２より減少可能量Ｗ２１１を算出する。  
減少可能量Ｗ２１１＝−（第１最低出力Ｐ１２−第１現在出力Ｐ１０）・・・式２
尚、式２より算出された減少可能量Ｗ２１１が、第１変化率ΔＰ１と一定時間との積よりも大きい場合、制御可能量監視部６６は、第１変化率ΔＰ１と一定時間との積を減少可能量Ｗ２１１とする。つまり、制御可能量監視部６６は、減少可能量Ｗ２１１が第１変化率ΔＰ１と一定時間との積以下となるように減少可能量Ｗ２１１を算出する。
【００５５】
尚、制御可能量監視部６６は、複数の発電装置１夫々の減少可能量Ｗ２１１を算出し、各減少可能量Ｗ２１１の総和を算出する。
【００５６】
＜蓄電装置における増加可能量及び減少可能量＞
制御可能量監視部６６は、式３より増加可能量Ｗ１１２を算出し、式４より減少可能量Ｗ２１２を算出する。  
増加可能量Ｗ１１２＝最大出力Ｐ２１−第２現在出力Ｐ２０・・・式３
減少可能量Ｗ２１２＝−（最低出力Ｐ２２―第２現在出力Ｐ２０）・・・式４
例えば、第２最大出力Ｐ２１が１０（ｋＷ）であり、第２最低出力Ｐ２２が−１０（ｋＷ）、第２現在出力Ｐ２０が５（ｋＷ）の場合、制御可能量監視部６６は、増加可能量Ｗ１１２として５（ｋＷ）を算出し、減少可能量Ｗ２１２として１５（ｋＷ）を算出する。
【００５７】
尚、制御可能量監視部６６は、複数の発電装置１夫々の増加可能量Ｗ１１２を算出し、各増加可能量Ｗ１１２の総和を算出する。制御可能量監視部６６は、複数の発電装置１夫々の減少可能量Ｗ２１２を算出し、各減少可能量Ｗ２１２の総和を算出する。
【００５８】
＜配電系統の制御装置群全体の増加可能量及び減少可能量＞
制御可能量監視部６６は、各増加可能量Ｗ１１１の総和と各増加可能量Ｗ１１２の総和との合計を、配電系統１００の制御装置群全体の増加可能量Ｗ１１とする。又、制御可能量監視部６６は、各減少可能量Ｗ２１１の総和と各減少可能量Ｗ２１２の総和との合計を、配電系統１００の制御装置群全体の減少可能量Ｗ２１とする。
【００５９】
＝＝＝変動量演算部＝＝＝
以下、図１及び図３を参照して、本実施形態における変動量演算部について説明する。
【００６０】
変動量演算部６７は、情報収集部６５の収集結果に基づいて、配電系統１００の再生可能エネルギー群全体の出力電力に関する一定時間後における増加側変動量Ｗ３１及び減少側変動量Ｗ４１を算出する。尚、増加側変動量Ｗ３１及び減少側変動量Ｗ４１は、配電線Ｌ１０１の想定される電力の変動量を示している。つまり、増加側変動量Ｗ３１及び減少側変動量Ｗ４１は、前述の増加可能量Ｗ１１及び減少可能量Ｗ２１によって打ち消す必要がある電力を示している。
【００６１】
変動量演算部６７は、第１分散型電源３における増加側変動量Ｗ３１１及び減少側変動量Ｗ４１１と、第２分散型電源４における増加側変動量Ｗ３１２及び減少側変動量Ｗ４１２とを算出し、当該算出結果に基づいて増加側変動量Ｗ３１及び減少側変動量Ｗ４１を算出する。
【００６２】
＜第１分散型電源における増加側変動量及び減少側変動量＞
変動量演算部６７は、式５より増加側変動量Ｗ３１１を算出し、式６より減少側変動量Ｗ４１１を算出する。  
増加側変動量Ｗ３１１＝第３最大出力Ｐ３１−第３現在出力Ｐ３０・・・式５
減少側変動量Ｗ４１１＝第３現在出力Ｐ３０・・・式６
尚、変動量演算部６７は、複数の第１分散型電源３夫々の増加側変動量Ｗ３１１を算出し、各増加側変動量Ｗ３１１の総和を算出する。変動量演算部６７は、複数の第１分散型電源３夫々の減少側変動量Ｗ４１１を算出し、各増加側変動量Ｗ４１１の総和を算出する。
【００６３】
＜第２分散型電源における増加側変動量及び減少側変動量＞
＝第２分散型電源における増加側変動量＝
変動量演算部６７は、式７より増加側変動量Ｗ３１２を算出する。  
増加側変動量Ｗ３１２＝第４最大出力Ｐ４１−第４現在出力Ｐ４０・・・式７
尚、式７より算出された増加側変動量Ｗ３１２が、第４変化率ΔＰ４と一定時間との積よりも大きい場合、変動量演算部６７は、第４変化率ΔＰ４と一定時間との積を増加側変動量Ｗ３１２とする。つまり、変動量演算部６７は、増加側変動量Ｗ３１２が第４変化率ΔＰ４と一定時間との積以下となるように増加側変動量Ｗ３１２を算出する。
【００６４】
尚、変動量演算部６７は、複数の第２分散型電源４夫々の増加側変動量Ｗ３１２を算出し、各増加側変動量Ｗ３１２の総和を算出する。
【００６５】
＝第２分散型電源における減少側変動量＝
変動量演算部６７は、式８より減少側変動量Ｗ４１２を算出する。  
減少側変動量Ｗ４１２＝第４現在出力Ｐ４０・・・式８
尚、変動量演算部６７は、複数の第２分散型電源４夫々の減少側変動量Ｗ４１２を算出し、各増加側変動量Ｗ４１２の総和を算出する。
【００６６】
＜配電系統の再生可能エネルギー群全体の増加側変動量及び減少側変動量＞
変動量演算部６７は、各増加側変動量Ｗ３１１の総和と各増加側変動量３１２の総和との合計を、配電系統１００の再生可能エネルギー群全体の増加側変動量Ｗ３１とする。変動量演算部６７は、各減少側変動量Ｗ４１１の総和と各減少側変動量４１２の総和との合計を、配電系統１００の再生可能エネルギー群全体の減少側変動量Ｗ４１とする。
【００６７】
尚、増加側変動量Ｗ３１、減少側変動量Ｗ４１については、第１分散型電源３及び第２分散型電源４全てが連系さているときの量であることとしてもよい。尚、第１分散型電源３及び第２分散型電源４全てが連系さているとは、複数の第１分散型電源３夫々の第１遮断器３０及び複数の第２分散型電源４夫々の第２遮断器４０が全て投入されていることを示している。
【００６８】
＝＝＝抑制量演算部＝＝＝
以下、図１及び図３を参照して、本実施形態における抑制量演算部について説明する。
【００６９】
抑制量演算部６８は、制御装置群全体の増加可能量Ｗ１１及び減少可能量Ｗ２１と、再生可能エネルギー群全体の増加側変動量Ｗ３１及び減少側変動量Ｗ４１とに基づいて、再生可能エネルギー群全体の抑制量Ｗ５１を算出した後、算出結果等を示す目標最大出力情報を出力する。
【００７０】
＜抑制量Ｗ５１、Ｗ５２の算出＞
抑制量演算部６８は、増加側変動量Ｗ３１と減少可能量Ｗ２１とを比較する。増加側変動量Ｗ３１が減少可能量Ｗ２１よりも多い場合、抑制量演算部６８は、式９より抑制量Ｗ５１を算出する。  
【００７１】
抑制量Ｗ５１＝増加側変動量Ｗ３１−減少可能量Ｗ２１・・・式９
抑制量演算部６８は、減少側変動量Ｗ４１と増加可能量Ｗ１１とを比較する。減少側変動量Ｗ４１が増加可能量Ｗ１１よりも多い場合、抑制量演算部６８は、式１０より抑制量Ｗ５２を算出する。  
抑制量Ｗ５２＝減少側変動量Ｗ４１−増加可能量Ｗ１１・・・式１０
この後、抑制量演算部６８は、再生可能エネルギー群の目標最大出力Ｗ６１を算出する。尚、目標最大出力Ｗ６１とは、再生可能エネルギー群から配電線Ｌ１０１に対して出力される最大電力の目標値を示している。配電系統１００においては、増加側変動量Ｗ３１又は減少側変動量Ｗ４１に基づく電力が増加可能量Ｗ１１又は減少可能量Ｗ２１に基づく電力によって打ち消されるように、第１分散型電源３の最大出力Ｐ３１の総和と第２分散型電源４の最大出力Ｐ４１の総和との合計である再生可能エネルギー群の最大出力が目標最大出力Ｗ６１となるように制御される。
【００７２】
具体的には、抑制量演算部６８は、式１１より目標最大出力Ｗ６１を算出する。  
目標最大出力Ｗ６１＝第３最大出力Ｐ３１＋第４最大出力Ｐ４１−抑制量Ｗ５・・式１１
尚、抑制量Ｗ５とは、抑制量Ｗ５１または抑制量Ｗ５２を示している。
【００７３】
この後、抑制量演算部６８は、目標最大出力Ｗ６１を示す目標最大出力情報を出力するか否かを判断する。具体的には、抑制量演算部６８は、式１２及び式１３の関係の双方を満たすか否かを判断する。  
増加側変動量Ｗ３１≦減少可能量Ｗ２１−規定量Ｗ７１・・・式１２
減少側変動量Ｗ４１≦増加可能量Ｗ１１−規定量７１・・・式１３
尚、規定量Ｗ７１は、０以上の値である。
【００７４】
式１２及び式１３の関係の双方を満たすと判断した場合、抑制量演算部６８は、目標最大出力情報を出力しない。一方、式１２及び式１３の少なくとも一方を満たさないと判断した場合、抑制量演算部６８は、目標最大出力情報を出力する。
【００７５】
＝＝＝制御部＝＝＝
以下、図１及び図３を参照して、本実施形態における制御部について説明する。  
制御部６９は、抑制量演算部６８から出力された目標最大出力情報に基づいて、再生可能エネルギー群の最大出力が目標最大出力Ｗ６１となるように、制御指令を出力する。制御指令は、例えば第１遮断器３０、第２遮断器４０を投入又は遮断するための指令である。又、例えば第１分散型電源３及び第２分散型電源４の中に第３最大出力Ｐ３１又は第４最大出力Ｐ４１を調整可能な分散型電源が含まれている場合、制御指令は、当該分散型電源の最大出力を調整するための指令としても機能する。制御指令は、再生可能エネルギー群の最大出力が目標最大出力Ｗ６１となるように、第１分散型電源３及び第２分散型電源４のうちの所定の分散型電源に送信される。制御指令を受信した分散型電源は、適宜、配電線Ｌ１０１から電気的に遮断されたり、最大出力が調整されたりする。尚、目標最大出力情報が抑制量演算部６８から出力さない場合、制御部６９は、制御指令を出力しない。
【００７６】
＝＝＝発電制御装置の動作＝＝＝
以下、図１及び図４を参照して、本実施形態における発電制御装置の動作について説明する。図４は、本実施形態における発電制御装置の動作を示すフローチャートである。
【００７７】
第１の領域６４１に記憶されているプログラムの実行により発電制御装置６の動作が開始されたところから説明する。
【００７８】
発電制御装置６は、配電系統１００の各情報を収集する（ステップＳｔ１１）。発電制御装置６は、配電系統１００の各情報に基づいて、増加可能量Ｗ１１及び減少可能量Ｗ２１を算出する（ステップＳｔ１２）。発電制御装置６は、配電系統１００の各情報に基づいて、増加側変動量Ｗ３１及び減少側変動量Ｗ４１を算出する（ステップＳｔ１３）。発電制御装置６は、ステップＳｔ１２、Ｓｔ１３での算出結果に基づいて、抑制量Ｗ５１、Ｗ５２、目標最大出力Ｗ６１を算出する（ステップＳｔ１４）。発電制御装置６は、制御可能量により、変動量を打ち消すことができるか否かを判断する（ステップＳｔ１５）。具体的には、発電制御装置６は、式１２及び式１３の関係の双方を満たすか、式１２及び式１３の少なくとも一方を満たさないかを判断する。式１２及び式１３の関係の双方を満たすと判断した場合（ステップＳｔ１４：ＹＥＳ）、発電制御装置６は、動作を終了する。一方、式１２及び式１３の関係の少なくとも一方を満たさないと判断した場合（ステップＳｔ１４：ＮＯ）、発電制御装置６は、ステップＳｔ１４で算出された目標最大出力Ｗ６１に基づく制御指令を出力する。
【００７９】
例えば、ステップＳｔ１１乃至Ｓｔ１６の動作については、例えば所定時間毎に実行される。例えば、これらの動作が３回実行され、３回ともステップＳｔ１５の判断がＮＯであり、１回目の目標最大出力Ｗ６１が１０００ＫＷとなり、２回目の目標最大出力Ｗ６１が５００ＫＷとなり、３回目の目標最大出力Ｗ６１が７００ＫＷとなった場合について説明する。発電制御装置６から出力される１回目の制御指令に基づいて、目標最大出力Ｗ６１が１０００ＫＷとなるように、第１分散型電源３及び第２分散型電源４は適宜、連系または遮断される。この後、２回目の制御指令に基づいて、目標最大出力Ｗ６１が５００ＫＷとなるように、第１分散型電源３及び第２分散型電源４のうちの所定の分散型電源が遮断される。この後、３回目の制御指令に基づいて、目標最大出力Ｗ６１が７００ＫＷとなるように、第１分散型電源３及び第２分散型電源４のうちの所定の分散型電源が連系される。そして、配電系統１００の制御装置群によって、配電系統１００の生成可能エネルギー群からの出力に基づく配電線Ｌ１０１の電力の変動が打ち消されることになる。
【００８０】
[第２実施形態]
＝＝＝配電系統＝＝＝
本実施形態の配電系統１００Ｂは、第１実施形態の配電系統１００において、発電制御装置６を発電制御装置７に変更し、測定装置Ｍ１を追加ものである。配電系統１００Ｂにおける発電制御装置７及び測定装置Ｍ１以外の構成は、配電系統１００の構成と同様である。
【００８１】
以下、図５を参照して、本実施形態における配電系統について説明する。図５は、本実施形態における配電系統を示す図である。
【００８２】
配電系統１００Ｂは、発電制御装置７（電力調整装置）、測定装置Ｍ１を有する。  
測定装置Ｍ１は、配電線Ｌ１０１から電力負荷５８に供給される電力（「負荷Ｙ８１」とも称する）を測定し、測定結果を示す測定情報を出力する。
【００８３】
発電制御装置７は、電力系統１００Ｂを制御するための装置である。発電制御装置７は、発電装置１、蓄電装置２、第１分散型電源３、第２分散型電源４、測定装置Ｍ１（「配電系統１００Ｂの各装置」とも称する）との間で通信できるように、通信線Ｌ１、Ｌ３、通信ネットワークＮを介して配電系統１００Ｂの各装置と接続されている。尚、発電制御装置７は、測定装置Ｍ１から出力された測定情報を受信する。
【００８４】
＝＝＝発電制御装置＝＝＝
以下、図６を参照して、本実施形態における発電制御装置について説明する。図６は、本実施形態における発電制御装置の機能を示すブロック図である。尚、図２の機能と同様な機能には、同一の符号を付すのみで、その説明については省略する。
【００８５】
発電制御装置７は、電力系統１００Ｂから情報を収集して、当該情報に基づいて第１分散型電源３及び第２分散型電源４の最大出力を調整する装置である。発電制御装置７は、記憶部７４、制御部７９を有する。
【００８６】
記憶部７４は、例えば、第１の領域７４１及び第３の領域７４３を有する。第１の領域７４１には、発電制御装置７を統括制御するためのプログラムが記憶されている。第３の領域７４３には、第３の領域６４３（第１実施形態）に記憶されている情報と、測定装置Ｍ１から出力された測定情報が記憶されている。
【００８７】
制御部７９は、第１の領域７４１に記憶されているプログラムの実行により、発電制御装置７を統括制御する。
【００８８】
発電制御装置７は、更に、情報収集部７５、制御可能量監視部７６、発電量演算部７７、抑制量演算部７８（「発電制御装置７の各機能」とも称する）を有する。尚、発電制御装置７の各機能は、第１の領域７４１に記憶されているプログラムの実行により制御部７９によって実現される機能である。
【００８９】
情報収集部７５は、第１乃至第４設備情報、第１乃至第４運転情報、及び測定情報（「配電系統１００Ｂの各情報」とも称する）を収集する。
【００９０】
制御可能量監視部７６は、情報収集部７５の収集結果及び式１４に基づいて、発電装置１及び蓄電装置２全体の出力電力に関する制御可能装置の上限値Ｙ１１を算出する。  
制御可能装置の上限値Ｙ１１＝第１最大出力Ｐ１１＋第２最大出力Ｐ２１・・・式１４
【００９１】
発電量演算部７７は、配電系統１００Ｂの各情報及び式１５に基づいて、第１分散型電源３及び第２分散型電源４の出力電力に関する再生可能エネルギー発電量の上限値Ｙ３１を算出する。  
再生可能エネルギー発電量の上限値Ｙ３１＝第３最大出力Ｐ３１＋第４最大出力Ｐ４１・・・式１５
尚、式１５における第２最大出力Ｐ２１は、複数の第１分散型電源３及び第２分散型電源４のうちの現時点で連系されている分散型電源における最大出力を示している。
【００９２】
抑制量演算部７８は、制御可能量監視部７６及び発電量演算部７７の演算結果に基づいて、第１分散型電源３及び第２分散型電源４全体の最大出力を調整するための目標最大出力Ｙ６１を算出し、算出結果を示す目標最大出力情報を出力する。  
具体的には、抑制量演算部７８は、式１６の関係を満たすか否かを判断する。  
制御可能装置の上限値Ｙ１１＋再生可能エネルギー発電量の上限値Ｙ３１＞負荷Ｙ８１・・・式１６
【００９３】
式１６の関係を満たすと判断した場合、抑制量演算部７８は、式１７より目標最大出力Ｙ６１を算出し、目標最大出力Ｙ６１を示す目標最大出力情報を出力する。一方、式１６の関係を満たさないと判断した場合、抑制量演算部７８は、目標最大出力Ｙ６１を算出せず、目標最大出力情報を出力しない。  
目標最大出力Ｙ６１＝負荷Ｙ８１−制御可能装置の上限値Ｙ１１・・・式１７
【００９４】
制御部７９は、抑制量演算部７８から出力された目標最大出力情報に基づいて、再生可能エネルギー群の最大出力が目標最大出力Ｙ６１となるように、制御指令を出力する。
【００９５】
＝＝＝発電制御装置の動作＝＝＝
以下、図５及び図７を参照して、本実施形態における発電制御装置の動作について説明する。図７は、本実施形態における発電制御装置の動作を示すフローチャートである。
【００９６】
第１の領域７４１に記憶されているプログラムの実行により発電制御装置７の動作が開始されたところから説明する。
【００９７】
発電制御装置７は、配電系統１００Ｂの各情報を収集する（ステップＳｔ３１）。発電制御装置７は、配電系統１００Ｂの各情報に基づいて、制御可能装置の上限値Ｙ１１を算出する（ステップＳｔ３２）。発電制御装置７は、配電系統１００Ｂの各情報に基づいて、再生可能エネルギー発電量の上限値Ｙ３１を算出する（ステップＳｔ３３）。発電制御装置７は、式１７の関係を満たすか否か判断する（ステップＳｔ３４）。式１７の関係を満たすと判断した場合（ステップＳｔ３４：Ｙ）、発電制御装置７は、制御動作を終了する。一方、式１７の関係を満たさないと判断した場合（ステップＳｔ３４：Ｎ）、発電制御装置７は、目標最大出力Ｙ６１を算出する（ステップＳｔ３５）。この後、発電制御装置７は、制御指令を出力する（ステップＳｔ３６）。
【００９８】
[第３実施形態]
＝＝＝配電系統＝＝＝
本実施形態の配電系統１００Ｃは、第１実施形態の配電系統１００において、発電制御装置６を発電制御装置８に変更し、測定装置Ｍ２、第３遮断器５０、電力負荷５２を追加したものである。配電系統１００Ｃにおける測定装置Ｍ２、第３遮断器５０、電力負荷５２、発電制御装置８以外の構成は、配電系統１００の構成と同様である。
【００９９】
以下、図８を参照して、本実施形態における配電系統について説明する。図８は、本実施形態における配電系統を示す図である。尚、図１と同様な構成には、同様な符号を付し、その説明については省略する。
【０１００】
配電系統１００Ｃは、所定の地域における配電系統である。尚、配電系統１００Ｃは、例えば地震等により上位系統から遮断されて自立運転状態となっている配電系統であることとしてもよい。
【０１０１】
配電系統１００Ｃは、配電線Ｌ１０１（電力線）、発電装置１（発電機）、蓄電装置２、第１分散型電源３、第２分散型電源４、測定装置Ｍ２、第３遮断器５０、電力負荷５２、発電制御装置８（電力調整装置）を有する。尚、発電制御装置８、発電装置１、第１分散型電源３、第２分散型電源４が電力調整システムに相当する。尚、発電装置１は、例えば配電系統１００Ｃが自立運転状態となっているときに稼動する非常用の発電機であることとしてもよい。
【０１０２】
電力負荷５２は、配電線Ｌ１０１から電力が供給される負荷である。電力負荷５２は、第３遮断器５０を介して配電線Ｌ１０１に接続される。第３遮断器５０は、第１遮断器３０と同様な構成であり電力負荷５２と配電線Ｌ１０１との間に設けられる。例えば、第３遮断器５０が投入された場合、電力負荷５２は配電線Ｌ１０１と電気的に接続される。一方、例えば、第３遮断器５０が遮断された場合、電力負荷５２は配電線Ｌ１０１から電気的に遮断される。
【０１０３】
測定装置Ｍ２は、配電線Ｌ１０１の電圧及び周波数を測定し、測定結果を示す測定情報を出力する。尚、配電線Ｌ１０１の周波数とは、例えば配電線Ｌ１０１における周波数を示している。測定装置Ｍ２は、一定時間毎に測定情報を出力することとしてもよいし、発電制御装置８等からの要求に応じて測定情報を出力することとしてもよい。
【０１０４】
蓄電装置２は、前述（第１実施形態）したように、充放電装置２１を有する。充放電装置２１は、配電線Ｌ１０１の電力の値に応じて蓄電池２２の充放電を制御する。充放電装置２１は、配電線Ｌ１０１の電力の値が例えば１０１（Ｖ）等の所定値となるように、充放電を制御する。尚、所定値は、例えば配電系統１００Ｃの管理者によって１０１（Ｖ）以外の値に設定されることとしてもよい。
【０１０５】
配電線Ｌ１０１の電力の値が所定値よりも小さい（低い）場合、充放電装置２１は、配電線Ｌ１０１の電力を増加させるべく蓄電池２２から放電させる。この場合、蓄電池２２の蓄電量が減少することになる。一方、配電線Ｌ１０１の電力の値が所定値よりも大きい（高い）場合、充放電装置２１は、配電線Ｌ１０１の電力を減少させるべく蓄電池２２を充電させる。この場合、蓄電池２２の蓄電量が増加することになる。尚、蓄電池２２の蓄電量とは、蓄電池２２に充電されている電力の量を示している。蓄電池２２の蓄電量は、例えば、蓄電池２２が満充電の際の蓄電量に対する現在の蓄電量の比率として示される。
【０１０６】
又、充放電装置２１は、蓄電池２２の蓄電量を示す蓄電情報を出力する。充放電装置２１は、一定時間毎に蓄電情報を出力することとしてもよいし、発電制御装置８等からの要求に応じて蓄電情報を出力することとしてもよい。
【０１０７】
発電制御装置８は、電力系統１００Ｃを制御するための装置である。発電制御装置８は、発電装置１、蓄電装置２、第１分散型電源３、第２分散型電源４、第３遮断器５０、測定装置Ｍ２（「配電系統１００Ｃの各装置」とも称する）との間で通信できるように、通信線Ｌ１、Ｌ４、通信ネットワークＮを介して配電系統１００Ｃの各装置と接続されている。
【０１０８】
＝＝＝電力負荷、第１及び第２分散型電源＝＝＝
以下、図９を参照して、本実施形態における配電系統について説明する。図９は、本実施形態における配電系統の一部を示す図である。尚、図８の第１分散型電源３、第２分散型電源４、電力負荷５２は夫々複数設けられるが、説明の便宜上、図９において２個の第１分散型電源３Ａ、３Ｂ、２個の第２分散型電源４Ａ、４Ｂ、４個の電力負荷５２Ａ乃至５２Ｄとして示されている。
【０１０９】
太陽電池３２Ａ、３２Ｂは夫々、パワーコンディショナ３１Ａ、３１Ｂ及び第１遮断器３０Ａ、３０Ｂを介して配電線Ｌ１０１に接続されている。尚、第１遮断器３０Ａ、３０Ｂは夫々、第１制御指令Ｓ３１、Ｓ３２に基づいて投入又は遮断される。
【０１１０】
発電機４２Ａ、４２Ｂは夫々、制御装置４１Ａ、４１Ｂ及び第２遮断器４０Ａ、４０Ｂを介して配電線Ｌ１０１に接続されている。尚、第２遮断器４０Ａ、４０Ｂは夫々、第２制御指令Ｓ４１、Ｓ４２に基づいて投入又は遮断される。
【０１１１】
電力負荷５２Ａ乃至５２Ｄは夫々、第３遮断器５０Ａ乃至５０Ｄを介して配電線Ｌ１０１に接続される。尚、第３遮断器５０Ａ乃至５０Ｄは夫々、第３制御指令Ｓ５１乃至Ｓ５４に基づいて投入又は遮断されている。
【０１１２】
＝＝＝発電制御装置＝＝＝
以下、図１０を参照して、本実施形態における発電制御装置について説明する。図１０は、本実施形態における発電制御装置の機能を示すブロック図である。尚、図２の機能と同様な機能には、同一の符号を付すのみで、その説明については省略する。
【０１１３】
発電制御装置８は、電力系統１００Ｃから情報を収集して、当該情報に基づいて第１遮断器３０Ａ、３０Ｂ、第２遮断器４０Ａ、４０Ｂ、第３遮断器５０Ａ乃至５０Ｄ（「各遮断器」とも称する）を投入又は遮断する装置である。発電制御装置８は、記憶部８４、制御部８９を有する。
【０１１４】
記憶部８４は、例えば、第１の領域８４１、第２の領域８４２、第３の領域８４３を有する。第１の領域８４１には、発電制御装置８を統括制御するためのプログラムが記憶されている。第２の領域８４２には、第１乃至第３閾値情報が記憶されている。第３の領域８４３には、第１優先順位情報Ｔ１１（図１１）及び第２優先順位情報Ｔ１２（図１２）が記憶されている。尚、第１乃至第３閾値情報、第１及び第２優先順位情報については後述する。
【０１１５】
制御部８９は、第１の領域８４１に記憶されているプログラムの実行により、発電制御装置８を統括制御する。
【０１１６】
発電制御装置８は、更に、情報収集部８５、判定部８６（検出装置、第１検出装置、第２検出装置）、制御対象等決定部８７（「発電制御装置８の各機能」とも称する）を有する。尚、発電制御装置８の各機能は、第１の領域８４１に記憶されているプログラムの制御部８９による実行によって実現される機能である。尚、制御対象等決定部８７及び制御部８９が調整装置、第１調整装置、第２調整装置に相当する。
【０１１７】
情報収集部８５は、測定情報、蓄電情報及び遮断器情報（「配電系統１００Ｃの各情報」とも称する）を収集する。尚、遮断器情報は、各遮断器の状態を示す情報であり、具体的には、各遮断器が投入されているか又は遮断されているかを示す情報である。遮断器情報は、一定時間毎に各遮断器から出力されることとしてもよいし、発電制御装置８からの要求に応じて各遮断器から出力されることとしてもよい。
【０１１８】
判定部８６は、測定情報と第１及び第２閾値情報とを比較する。更に、判定部８６は、蓄電情報と第３閾値情報とを比較する。尚、判定部８６の詳細については後述する。
【０１１９】
制御対象等決定部８７は、判定部８６の判定結果、第１及び第２優先順位情報に基づいて、制御対象及び制御内容を決定する。
【０１２０】
制御部８９は、制御対象等決定部８７の決定結果に基づいて、第１制御指令Ｓ３１、Ｓ３２、第２制御指令Ｓ４１、Ｓ４２、第３制御指令Ｓ５１、Ｓ５２、Ｓ５３、Ｓ５４（「各制御指令」とも称する）のうちの所定の制御指令を出力させる。
【０１２１】
＝＝＝第１乃至第３閾値情報＝＝＝
以下、図１１を参照して、本実施形態における第１乃至第３閾値情報について説明する。図１１は、本実施形態における第１優先順位情報を示す図である。
【０１２２】
＜第１閾値情報＞
第１閾値情報は、測定情報に示されている配電線Ｌ１０１の周波数の値（「周波数測定値」とも称する）と比較される情報としての、周波数下限値及び周波数上限値を含んでいる。周波数下限値、周波数上限値は夫々、例えば４９（Ｈｚ）、５１（Ｈｚ）に設定される。尚、周波数下限値、周波数上限値は夫々、例えば配電系統１００Ｃの管理者によって４９（Ｈｚ）、５１（Ｈｚ）以外の値に設定されることとしてもよい。配電系統１００Ｃにおいては、配電線Ｌ１０１の周波数の値が周波数下限値と当該周波数下限値よりも高い周波数上限値との間（所定の周波数範囲）の値となるように制御される。
【０１２３】
＜第２閾値情報＞
第２閾値情報は、測定情報に示されている配電線Ｌ１０１の電圧の値（「電圧測定値」とも称する）と比較される情報としての、電圧下限値及び電圧上限値を含んでいる。電圧下限値、電圧上限値は夫々、例えば９４（Ｖ）、１０８（Ｖ）に設定される。尚、電圧下限値、電圧上限値は夫々、例えば配電系統１００Ｃの管理者によって９４（Ｖ）、１０８（Ｖ）以外の値に設定されることとしてもよい。配電系統１００Ｃにおいては、配電線Ｌ１０１の電圧の値が電圧下限値と当該電圧下限値よりも高い電圧上限値との間（所定の電圧範囲）の電圧の値となるように制御される。
【０１２４】
＜第３閾値情報＞
第３閾値情報は、蓄電情報に示されている蓄電池２２の蓄電量と比較される情報としての、蓄電量下限値及び蓄電量上限値を含んでいる。蓄電量下限値、蓄電量上限値は夫々、例えば５（％）、９５（％）に設定される。尚、蓄電量下限値、蓄電量上限値は夫々、例えば配電系統１００Ｃの管理者によって５（％）、９５（％）以外の値に設定されることとしてもよい。配電系統１００Ｃにおいては、蓄電値２２の蓄電量が蓄電量下限値と当該蓄電量下限値よりも多い蓄電量上限値との間（所定の蓄電量範囲）の蓄電量となるように制御される。
【０１２５】
＝＝＝第１優先順位情報＝＝＝
以下、図１１を参照して、本実施形態における第１優先順位情報について説明する。
【０１２６】
第１優先順位情報Ｔ１１は、周波数測定値の判定結果、電圧測定値の判定結果、蓄電量の判定結果夫々が配電系統１００Ｃの制御のために用いられる優先順位を示す情報である。つまり、第１優先順位情報Ｔ１１は、配電系統１００Ｃの制御の際に、周波数測定値の判定結果、電圧測定値の判定結果、蓄電量の判定結果のうちの何れの判定結果が優先的に用いられるかを示している。尚、第１優先順位情報Ｔ１１においては、優先順位の欄の数字が小さいほど優先度が高いことが示されている。第１優先順位情報Ｔ１１においては、周波数測定値の判定結果、電圧測定値の判定結果、蓄電量の判定結果のうちで、周波数測定値の判定結果の優先順位が最も高く、蓄電量の判定結果の優先順位が最も低いことが示されている。つまり、優先順位が高い方から低い方に向かって、周波数測定値の判定結果、電圧測定値の判定結果、蓄電量の判定結果の順で優先順位が定められている。
【０１２７】
この優先順位は、例えば配電線Ｌ１０１に接続される発電機には定格の速度（周波数）があり、周波数が数％定格からずれた場合、配電線Ｌ１０１に対して当該発電機を連系（接続）できなくなる虞があること等に基づいて定められている。又、この優先順位は、例えば配電線Ｌ１０１の電圧の値が９５（Ｖ）〜１０７（Ｖ）となるように配電系統１００Ｃを制御するべきであること等にも基づいて定められている。又、この優先順位は、例えば電力負荷５２に対して供給される電力が不足する等の影響を、蓄電量の多少により比較的受け難くすることにも基づいて定められている。
【０１２８】
＝＝＝第２優先順位情報＝＝＝
以下、図１２を参照して、本実施形態における第２優先順位情報について説明する。
【０１２９】
第２優先順位情報Ｔ１２は、第１分散型電源３、第２分散型電源４、電力負荷５２が配電線Ｌ１０１の電力を調整するための制御対象として選択されるときの優先順位を示す情報である。第２優先順位情報Ｔ１２においては、優先順位、設備名称、種別、容量、遮断時間、遮断状況が対応付けられている。
【０１３０】
設備名称における第１太陽光発電装置、第２太陽光発電装置、第１風力発電装置、第２風力発電装置、フロア１の空調、廊下の照明、フロア２の空調、オフィス１の照明は夫々、第１分散型電源３Ａ、第１分散型電源３Ｂ、第２分散型電源４Ａ、第２分散型電源４Ｂ、電力負荷５２Ａ、電力負荷５２Ｂ、電力負荷５２Ｃ、電力負荷５２Ｄに対応し、これらの設備の名称を示している。種別は、各設備が分散型電源であるか電力負荷であるかを示している。「ＲＥ」は分散型電源であることを示し、「負荷」は電力負荷であることを示している。容量は、配電線Ｌ１０１に対して供給可能な電力、配電線Ｌ１０１から供給される電力を示している。遮断時間は、１日における電力負荷が自動的に遮断される時間帯が示されている。第２優先順位情報Ｔ１２の遮断時間によれば、電力負荷５２Ａ、５２Ｃが２０時〜５時の時間帯に自動的に遮断されることになっている。遮断状況は、第２優先順位情報Ｔ１２に示されている各設備が配電線Ｌ１０１に接続されているか遮断されているかを示している。遮断状況は、遮断器情報に基づいて示される。
【０１３１】
＝＝＝判定部＝＝＝
以下、図１１を参照して、本実施形態における判定部について説明する。
【０１３２】
＜電圧測定値の判定＞
判定部８６は、電圧測定値と電圧下限値及び電圧上限値とを比較する。判定部８６は、電圧測定値が電圧下限値以下であるか否かと、電圧測定値が電圧上限値以上であるか否かを判定する。尚、電圧測定値が一定時間以上継続して電圧下限値以下となっているときに、判定部８６は、電圧測定値が電圧下限値以下であると判定する（電圧測定値が電圧下限値よりも低いことを検出する）。つまり、このとき、判定部８６は、電圧測定値が電圧下限値と電圧上限値との間から逸脱していることを検出することになる。又、電圧測定値が一定時間未満のみ電圧下限値以下となった場合に、判定部８６は、電圧測定値が電圧下限値以下であると判定しない。尚、一定時間は、例えば、１００（ｍｓ）程度であって、電力負荷５２の仕様等を考慮した配電系統１００Ｃの運用計画等に基づいて定められることとしてもよい。尚、一定時間は、１００（ｍｓ）よりも短い時間であっても、１００（ｍｓ）よりも長い時間であってもよい。又、電圧測定値が一定時間以上継続して電圧上限値以上となっているときに、判定部８６は、電圧測定値が電圧上限値以上であると判定する（電圧測定値が電圧上限値よりも高いことを検出する）。つまり、このとき、判定部８６は、電圧測定値が電圧下限値と電圧上限値との間から逸脱していることを検出することになる。又、電圧測定値が一定時間未満のみ電圧上限値以上となった場合に、判定部８６は、電圧測定値が電圧上限値以上であると判定しない。
【０１３３】
＜周波数測定値の判定＞
判定部８６は、周波数測定値と周波数下限値及び周波数上限値とを比較する。判定部８６は、周波数測定値が周波数下限値以下であるか否かと、周波数測定値が周波数上限値以上であるか否かを判定する。尚、周波数測定値が一定時間以上継続して周波数下限値以下となっているとき、判定部８６は、周波数測定値が周波数下限値以下であると判定する（周波数測定値が周波数下限値よりも低いことを検出する）。又、周波数測定値が一定時間以上継続して周波数上限値以上となっているとき、判定部８６は、周波数測定値が周波数上限値以上であると判定する（周波数測定値が周波数上限値よりも高いことを検出する）。つまり、これらのとき、判定部８６は、周波数測定値が周波数下限値と周波数上限値との間から逸脱していることを検出することになる。
【０１３４】
＜蓄電量の判定＞
判定部８６は、蓄電量と蓄電量下限値及び蓄電量上限値と比較する。判定部８６は、蓄電量が蓄電量下限以下であるか否かと、蓄電量が蓄電量上限値以上であるか否かを判定する。尚、蓄電量が一定時間以上継続して蓄電量下限値以下となっているとき、判定部８６は、蓄電量が蓄電量下限値以下であると判定する（蓄電量が蓄電量下限値よりも低いことを検出する）。又、蓄電量が一定時間以上継続して蓄電量上限値以上となっているとき、判定部８６は、蓄電量が蓄電量上限値以上であると判定する（蓄電量が蓄電量上限値よりも高いことを検出する）。これらのとき、判定部８６は、蓄電量が蓄電量下限値と蓄電量上限値との間から逸脱していることを検出することになる。
【０１３５】
例えば、配電線Ｌ１０１の電力が減少すると、配電線Ｌ１０１の周波数及び電圧、蓄電池２２の蓄電量は減少する。この場合、当該減少の程度に応じて配電線Ｌ１０１の電力が増加するように、配電系統１００Ｃを制御する必要性が生じることがある。一方、配電線Ｌ１０１の電力が増加すると、配電線Ｌ１０１の周波数及び電圧、蓄電池２２の蓄電量は増加する。この場合、当該増加の程度に応じて配電線Ｌ１０１の電力が減少するように、配電系統１００Ｃを制御する必要性が生じることがある。
【０１３６】
＝＝＝制御対象等決定部＝＝＝
以下、図１２を参照して、本実施形態における制御対象等決定部について説明する。
【０１３７】
制御対象等決定部８７は、判定部８６の判定結果、第１優先順位情報Ｔ１１及び第２優先順位情報Ｔ１２等に基づいて、制御対象としての分散型電源又は電力負荷及び当該制御対象についての制御内容を決定する。
【０１３８】
＜電力を減少させるための決定＞
電圧測定値が電圧上限値以上であると判定部８６が判定した場合、制御対象等決定部８７は、配電線Ｌ１０１の電力が減少するように制御対象及び制御内容を決定する。配電線Ｌ１０１の電力が減少するように制御対象及び制御内容を決定（「電力を減少させるための決定」とも称する）するとは、制御対象決定８７が、負荷の遮断解除動作又は分散型電源の遮断動作のための決定をすることを示している。尚、負荷の遮断解除動作とは、電力負荷５２Ａ乃至５２Ｄのうちの配電線Ｌ１０１から電気的に遮断されている状態の電力負荷に接続されている第３遮断器を投入することを示している。分散型電源の遮断動作とは、第１分散型電源３Ａ、３Ｂ、第２分散型電源４Ａ、４Ｂのうちの配電線Ｌ１０１に対して電気的に接続されている分散型電源の第１又は第２遮断器を遮断することを示している。
【０１３９】
電力を減少させるための決定を行う場合、制御対象等決定部８７は、第２優先順位情報Ｔ１２に示されている優先順位の欄の数が大きいほど優先順位を高くして、制御対象及び制御内容を決定する。具体的には、制御対象等決定部８７は、遮断状況が遮断となっている電力負荷（電力負荷５２Ａ、５２Ｃ）及び遮断状況が遮断となっていない分散型電源（第２分散型電源４Ａ、４Ｂ）を制御対象の候補とする。次に、制御対象等決定部８７は、この候補のうちの優先順位の欄の数が最大の制御対象を、制御対象として決定する。
【０１４０】
具体的には、第２優先順位情報Ｔ１２に示されている配電系統１００Ｃにおいては、制御対象等決定部８７は、制御対象を電力負荷５２Ｃに接続されている第３遮断器５０Ｃに決定し、制御内容を投入に決定する。第３遮断器５０Ｃが投入された後、電力を減少させるための決定を再度行う場合、制御対象等決定部８７は、制御対象を第３遮断器５０Ａに決定し、制御内容を投入に決定する。第３遮断器５０Ａが投入された後、電力を減少させるための決定を再度行う場合、制御対象等決定部８７は、制御対象を第２遮断器４０Ｂに決定し、制御内容を遮断に決定する。第２遮断器４０Ｂが遮断された後、電力を減少させるための決定を再度行う場合、制御対象等決定部８７は、制御対象を第２遮断器４０Ａに決定し、制御内容を遮断に決定する。
【０１４１】
＜電力を増加させるための決定＞
電圧測定値が電圧下限値以下であると判定部８６が判定した場合、制御対象等決定部８７は、配電線Ｌ１０１の電力が増加するように制御対象及び制御内容を決定する。配電線Ｌ１０１の電力が増加するように制御対象及び制御内容を決定（「電力を増加させるための決定」とも称する）するとは、制御対象決定８７が、負荷の遮断動作又は分散型電源の遮断解除動作のための決定をすることを示している。尚、負荷の遮断動作とは、電力負荷５２Ａ乃至５２Ｄのうちの配電線Ｌ１０１に電気的に接続されている状態の電力負荷に接続されている第３遮断器を遮断することを示している。分散型電源の遮断解除動作とは、第１分散型電源３Ａ、３Ｂ、第２分散型電源４Ａ、４Ｂのうちの配電線Ｌ１０１から電気的に遮断されている分散型電源の第１又は第２遮断器を投入することを示している。
【０１４２】
電力を増加させるための決定を行う場合、制御対象等決定部８７は、第２優先順位情報Ｔ１２に示されている優先順位の欄の数が小さいほど優先順位を高くして、制御対象及び制御内容を決定する。具体的には、制御対象等決定部８７は、遮断状況が遮断となっていない電力負荷（電力負荷５２Ｂ、５２Ｄ）及び遮断状況が遮断となっている分散型電源（第１分散型電源３Ａ、３Ｂ）を制御対象の候補とする。次に、制御対象等決定部８７は、この候補のうちの優先順位の欄の数が最小の制御対象を、制御対象として決定する。
【０１４３】
具体的には、第２優先順位情報Ｔ１２に示されている配電系統１００Ｃにおいては、制御対象等決定部８７は、制御対象を第１分散型電源３Ａに接続されている第１遮断器３０Ａに決定し、制御内容を投入に決定する。第１遮断器３０Ａが投入された後、電力を増加させるための決定を再度行う場合、制御対象等決定部８７は、第１遮断器３０Ｂに決定し、制御内容を投入に決定する。第１遮断器３０Ｂが投入された後、電力を増加させるための決定を再度行う場合、制御対象等決定部８７は、第３遮断器５０Ｂに決定し、制御内容を遮断に決定する。第３遮断器５０Ｂが遮断された後、電力を増加させるための決定を再度行う場合、制御対象等決定部８７は、第３遮断器５０Ｄに決定し、制御内容を遮断に決定する。
【０１４４】
＜判定部の判定＞
周波数測定値が周波数上限値以上であると判定部８６が判定した場合、制御対象等決定部８７は、電力を減少させるための決定を行う。又、蓄電量が蓄電量上限値以上であると判定部８６が判定した場合、制御対象等決定部８７は、電力を減少させるための決定を行う。
【０１４５】
周波数測定値が周波数下限値以下であると判定部８６が判定した場合、制御対象等決定部８７は、電力を増加させるための決定を行う。又、蓄電量が蓄電量下限値以下であると判定部８６が判定した場合、制御対象等決定部８７は、電力を増加させるための決定を行う。
【０１４６】
＜排他的な判定結果＞
周波数測定値が周波数上限値以上であると判定部８６が判定し、且つ、電圧測定値が電圧下限値以下であると判定部８６が判定することがある。この場合、周波数についての判定結果によれば、制御対象等決定部８７は、電力を減少させるための決定を行う必要があり、電圧についての判定結果によれば、制御対象等決定部８７は、電力を増加させるための決定を行う必要がある。このように、電力を減少させるための決定を行うことと、電力を増加させるための決定を行うこととが混在することになる。この場合、第１優先順位情報Ｔ１１に示されている優先順位に従って、制御対象等決定部８７は、電力を増加させるための決定を行わず、電力を減少させるための決定を行う。
【０１４７】
又、電圧測定値が電圧下限値以下であると判定部８６が判定し、且つ、蓄電量が蓄電量上限値以上であると判定部８６が判定することがある。この場合、電力を増加させるための決定を行うことと電力を減少させるための決定を行うこととが混在することになる。この場合、第１優先順位情報Ｔ１１に示されている優先順位に従って、制御対象等決定部８７は、電力を減少させるための決定を行わず、電力を増加させるための決定を行う。
【０１４８】
＜電力を減少又は増加させるための決定が行われない場合＞
電圧測定値が電圧下限値以下でなく、且つ、電圧上限値以上でないと判定部８６に判定されることがある。この場合、電圧測定値が第１規定範囲内となっていると判定部８６が判定することとする。又、周波数測定値が周波数下限値以下でなく、且つ、周波数上限値以上でないと判定部８６に判定されることがある。この場合、周波数測定値が第２規定範囲内となっていると判定部８６が判定することとする。蓄電量が蓄電量下限以下でなく、且つ、蓄電量が蓄電量上限値以上でないと判定部８６に判定されることがある。この場合、蓄電量が第３規定範囲内となっていると判定部８６が判定することとする。
【０１４９】
そして、電圧測定値が第１規定範囲内となっており、且つ、周波数測定値が第２規定範囲内となっており、且つ、蓄電量が第３規定範囲内となっている（「全ての電気量が規定範囲内になっている」とも称する）と判定部８６が判定した場合、制御対象等決定部８７は、電力を増加させるための決定及び電力を減少させるための決定の双方を行わないことになる。
【０１５０】
＝＝＝制御部＝＝＝
以下、図１２を参照して、本実施形態における制御部について説明する。図１２は、本実施形態における第２優先順位情報を示す図である。
【０１５１】
制御部８９は、判定部８６の判定結果及び制御対象等決定部８７の決定結果等に基づいて、各制御指令のうちの所定の制御指令を出力させる。
【０１５２】
例えば、電圧測定値が電圧上限値以上であると判定部８６が判定したときに、制御対象及び制御内容を夫々第３遮断器５０Ｃ及び投入に御対象等決定部８７が決定した場合、制御部８９は、投入することを示す第３制御指令Ｓ５３を出力させる。又、例えば、電圧測定値が電圧下限値以下であると判定部８６が判定したときに、制御対象及び制御内容を夫々第１遮断器３０Ａ及び投入に制御対象等決定部８７が決定した場合、制御部８９は、投入することを示す第１制御指令Ｓ３１を出力させる。尚、周波数測定値の判定結果、蓄電量の判定結果に基づいて、制御部８９は、上述の電圧測定値の判定結果に基づく制御指令の出力と同様に、所定の制御指令を出力させる。尚、全ての電気量が規定範囲内になっていると判定部８６が判定した場合、制御部８９は、制御指令を出力させない。
【０１５３】
＝＝＝発電制御装置の動作＝＝＝
以下、図８、図９及び図１３を参照して、本実施形態における発電制御装置の動作について説明する。図１３は、本実施形態における発電制御装置の動作を示すフローチャートである。
【０１５４】
第１の領域８４１に記憶されているプログラムの実行により発電制御装置８の動作が開始されたところから説明する。
【０１５５】
発電制御装置８は、配電系統１００Ｃの各情報を収集する（ステップＳｔ５１）。発電制御装置８は、全ての電気量が規定範囲内となっているか否かを判定する（ステップＳｔ５２）。全ての電気量が規定範囲内となっていると判定した場合（ステップＳｔ５２：ＹＥＳ）、発電制御装置８は、制御動作を終了する。尚、この場合、発電制御装置８は、ステップＳｔ５１の動作の後に、ステップＳｔ５２の判断を再度行うこととしてもよい。
【０１５６】
ステップＳｔ５２の判断において全ての電気量が規定範囲内となっていると判定しなかった場合（ステップＳｔ５２：ＮＯ）、発電制御装置８は、第１優先順位情報Ｔ１１及び第２優先順位情報Ｔ１２等に基づいて、制御対象及び制御内容を決定する（ステップＳｔ５３）。発電制御装置８は、ステップＳｔ５３での決定結果に基づいて所定の制御指令を出力する。例えば、制御対象及び制御内容が夫々第３遮断器５０Ａ及び投入と決定された場合、発電制御装置８は、投入することを示す第３制御指令Ｓ５３を出力する。第３遮断器５０Ａは、第３制御指令Ｓ５３を受信して、投入される。電力負荷５２Ａが配電線Ｌ１０１に対して接続される。そして、配電線Ｌ１０１から電力負荷５２Ａに対して電力が供給されることになる。
【０１５７】
ステップＳｔ５４の後、発電制御装置８は、例えば１０秒等の一定時間の経過を待った（ステップＳｔ５５）後、ステップＳｔ５２の判断を再度行う。
【０１５８】
前述したように、発電制御装置８は、制御部８９を有する。制御部８９は、第１分散型電源３及び第２分散型電源４から配電線Ｌ１０１に供給される電力に基づく測定装置Ｍ２の測定結果等に応じて、所定の制御指令を出力させる。所定の制御指令に応じて各遮断器のうちの所定の遮断器が投入又は遮断されることにより、配電線Ｌ１０１の電力が調整されることになる。尚、配電線Ｌ１０１には、複数の電力負荷５２Ａ乃至５２Ｄ、複数の電力負荷５２Ａ乃至５２Ｄに対して電力を供給する発電装置１、複数の電力負荷５２Ａ乃至５２Ｄに対して電力を供給する複数の第１分散型電源３Ａ、３Ｂ、第２分散型電源４Ａ、４Ｂが接続されている。これらの構成により、発電制御装置８は、第１分散型電源３及び第２分散型電源４から配電線Ｌ１０１に供給される電力に応じて、配電線Ｌ１０１の電力を調整することができる。
【０１５９】
又、発電制御装置８は、判定部８６を有する。判定部８６は、周波数測定値が周波数下限値と周波数上限値との間から逸脱していることを検出する。周波数測定値が周波数下限値と周波数上限値との間から逸脱していることを判定部８６が検出したとき、制御部８９は、所定の制御指令を出力させる。尚、所定の制御指令に基づいて各遮断器は遮断されたり投入されたりする。従って、配電線Ｌ１０１から電力負荷５２に対して供給される電力、及び、第１分散型電源３及び第２分散型電源４から配電線Ｌ１０１に供給される電力の少なくとも一方が調整（「配電線Ｌ１０１の電力に関する調整」とも称する）されることになる。尚、この調整は、周波数測定値が周波数下限値と周波数上限値との間の周波数となるように行われる。これらの構成により、配電線Ｌ１０１の周波数を、周波数下限値と周波数上限値との間の周波数にすることができる。よって、例えば配電線Ｌ１０１の周波数が周波数下限値と周波数上限値との間から逸脱していることにより、配電線Ｌ１０１に対して発電機等を接続することができなくなるのを防止することができる。
【０１６０】
又、判定部８６は、電圧測定値が電圧下限値と電圧上限値との間から逸脱していることを検出する。電圧測定値が電圧下限値と電圧上限値との間から逸脱していることを判定部８６が検出したとき、制御部８９は、所定の制御指令を出力させる。電圧測定値が電圧下限値と電圧上限値との間の電圧値となるように、配電線Ｌ１０１の電力に関する調整が行われる。これらの構成により、配電線Ｌ１０１の電力の需給バランスを維持することができる。又、電力負荷５２に対して所定の電圧範囲に応じた電圧範囲を逸脱した電圧が供給されるのを防止して、配電系統１００Ｃの信頼性を向上させることができる。
【０１６１】
又、判定部８６は、周波数測定値が周波数下限値よりも低いことと、周波数測定値が周波数上限値よりも高いこととを検出する。周波数測定値が周波数下限値よりも低いことを判定部８６が検出した場合、制御部８９は、負荷の遮断動作又は分散型電源の遮断解除動作のための制御指令を出力させる。又、周波数測定値が周波数上限値よりも高いことを判定部８６が検出した場合、制御部８９は、負荷の遮断解除動作又は分散型電源の遮断動作のための制御指令を出力させる。これの構成により、周波数測定値が周波数下限値よりも低いことが判定されたときも、周波数測定値が周波数上限値よりも高いことが判定されたときも、配電線Ｌ１０１の周波数を、確実に、周波数下限値と周波数上限値との間の周波数にすることができる。
【０１６２】
又、周波数測定値が周波数下限値よりも低いことを判定部８６が検出した場合、制御部８９は、分散型電源の遮断解除動作が負荷の遮断動作よりも優先されるように、制御指令を出力させる。又、周波数測定値が周波数上限値よりも高いことを判定部８６が検出した場合、制御部８９は、負荷の遮断解除動作が分散型電源の遮断動作よりも優先されるように、制御指令を出力させる。これらの構成により、配電線Ｌ１０１から電力負荷５２に対する電力の供給を可能な限り維持した状態で、配電線Ｌ１０１の電力を調整することができる。
【０１６３】
又、周波数測定値が周波数下限値と周波数上限値との間から逸脱していること、及び、電圧測定値が電圧下限値と電圧上限値との間から逸脱していることの双方を判定部８６が検出した場合、制御部８９は、周波数測定値を周波数下限値と周波数上限値との間の周波数とするための調整が、電圧測定値を電圧下限値と電圧上限値との間の電圧値とするための調整よりも優先して行われるように、制御指令を出力させる。ここで、一般的に、配電線Ｌ１０１に対して発電機を接続する場合、配電線Ｌ１０１の電圧を電圧下限値と電圧上限値との間の電圧値とするよりも優先して、配電線Ｌ１０１の周波数を周波数下限値と周波数上限値との間の周波数とする必要がある。従って、配電線Ｌ１０１に対して発電機を接続することができなくなるのを確実に防止することができる。
【０１６４】
又、配電線Ｌ１０１には、配電線Ｌ１０１の電力を調整するべく充放電される蓄電池２２が接続されている。判定部８６は、蓄電池２２の蓄電量が蓄電量下限値と蓄電量上限値との間から逸脱していることを検出する。蓄電池２２の蓄電量が蓄電量下限値と蓄電量上限値との間から逸脱していることを判定部８６が検出したとき、制御部８９は、所定の制御指令を出力させる。蓄電池２２の蓄電量が蓄電量下限値と蓄電量上限値との間の蓄電量となるように、配電線Ｌ１０１の電力に関する調整が行われる。これらの構成により、蓄電池２２の蓄電量を蓄電量下限値と蓄電量上限値との間の蓄電量とすることにより、蓄電池２２を充電及び放電の双方を行える状態とすることができる。従って、蓄電池２２の充放電により、配電線Ｌ１０１の電力を調整することが可能となる。
【０１６５】
尚、上記第１乃至第３実施形態は、本発明の理解を容易にするためのものであり、本発明を限定して解釈するためのものではない。本発明は、その趣旨を逸脱することなく、変更、改良され得るとともに、本発明にはその等価物も含まれる。
【０１６６】
又、第３実施形態においては、第２優先順位情報Ｔ１２（図１２）に示されている優先順位の欄の数の大小に基づいて制御対象等決定部８７が制御対象を決定することについて説明したが、これに限定されるものではない。例えば、電力を減少させるための決定を行う場合、分散型電源の遮断動作よりも負荷の遮断解除動作が優先的に行われるように、制御対象等決定部８７が、優先順位の欄の数の大小に関わらず制御対象を決定することとしてもよい。又、電力を増加させるための決定を行う場合、負荷の遮断動作よりも分散型電源の遮断解除動作が優先的に行われるように、制御対象等決定部８７が、優先順位の欄の数の大小に関わらず制御対象を決定することとしてもよい。又、電力を増加又は減少させるための決定を行う場合、第２分散型電源４よりも第１分散型電源３の制御が優先的に行われるように、制御対象等決定部８７が制御対象を決定することとしてもよい。この構成により、発電を行う際に稼動する可動部を有する風力発電装置としての第２分散型電源４の利用頻度を減少させて、稼動部の磨耗等により第２分散型電源４が損傷するのを防止することができる。
【０１６７】
又、第３実施形態においては、配電系統１００Ｃに第１分散型電源３及び第２分散型電源４が設けられていることについて説明したが、これに限定されるものではない。例えば、配電系統１００Ｃに例えば地熱発電装置及び水車等が分散型電源として設けられていることとしてもよい。
【０１６８】
又、第３実施形態においては、判定部８６の判定結果に基づいて分散型電源又は負荷の遮断又は遮断解除が行われることについて説明したが、これに限定さるものではない。例えば、複数の第１分散型電源３及び複数の第２分散型電源４に、出力電力を調整可能な分散型電源（「他の分散型電源」とも称する）が含まれており、判定部８６の判定結果に基づいて発電制御装置８によって他の分散型電源の出力電力が調整されることとしてもよい。又、例えば、複数の電力負荷５２に、消費電力を抑制可能な電力負荷（「他の電力負荷」とも称する）が含まれており、判定部８６の判定結果に基づいて発電制御装置８によって他の電力負荷の消費電力が制御されることとしてもよい。
【０１６９】
又、第１実施形態においては、抑制量演算部６８が目標最大出力Ｗ６１を算出した後、式１２及び式１３の少なくとも一方を満たさない場合に目標最大出力情報を出力することについて説明したが、これに限定されるものではない。例えば、式１２及び式１３の双方を満たす場合に目標最大出力Ｗ６１を算出せず、式１２及び式１３の少なくとも一方を満たさない場合に目標最大出力Ｗ６１し、目標最大出力情報を出力することとしてもよい。
【０１７０】
又、第２実施形態においては、測定装置Ｍ１によって負荷Ｙ８１を測定することについて説明したが、これに限定されるものではない。例えば、配電系統１００Ｂに対して測定装置Ｍ１を設けず、発電装置１、蓄電装置２、第１分散型電源３、第２分散型電源４夫々の出力電力の総和と、例えば変電所等を含む上位系統から配電線Ｌ１０１に供給される電力と、の合計基づいて、負荷Ｙ８１を発電制御装置７が算出することとしてもよい。
【符号の説明】
【０１７１】
１                                            発電装置
２                                            蓄電装置
３、３Ａ、３Ｂ                                第１分散型電源
４、４Ａ、４Ｂ                                第２分散型電源
６、７、８                                    発電制御装置
５２、５２Ａ、５２Ｂ、５２Ｃ、５２Ｄ、５８    電力負荷
６９、７９、８９                              制御部
８６                                          判定部
【図１】
2014241678.tif 000003
【図２】
2014241678.tif 000004
【図３】
2014241678.tif 000005
【図４】
2014241678.tif 000006
【図５】
2014241678.tif 000007
【図６】
2014241678.tif 000008
【図７】
2014241678.tif 000009
【図８】
2014241678.tif 000010
【図９】
2014241678.tif 000011
【図１０】
2014241678.tif 000012
【図１１】
2014241678.tif 000013
【図１２】
2014241678.tif 000014
【図１３】
2014241678.tif 000015